(57)【要約】      （修正有）【課題】刷毛の磨耗状態を目視で看取可能とすることで、刷毛の折損前に洗浄ブラシの交換を作業者に催促可能にする洗浄ブラシを提供する。【解決手段】複数の刷毛１５で構成される刷毛束１６が刷毛取付台１２に複数組取り付けられた洗浄ブラシであって、刷毛束１６の少なくとも１本が磨耗表示用刷毛１７を外周面に位置するように刷毛取付台１２に取り付けられている。この磨耗表示用刷毛１７は内外層で着色の異なる鞘芯型の二層構造をなす。【選択図】図２
0003178117.tif 000002
【実用新案登録請求の範囲】
【請求項１】
複数本の刷毛を束ねた刷毛束を刷毛取付台の周縁に沿って複数組が植設された洗浄ブラシであって、
前記複数組の刷毛束のうち外側面に位置する前記刷毛束の少なくとも１本の刷毛が、内外層で着色の異なる鞘芯型の磨耗表示用刷毛が配設されてなり、
前記磨耗表示用刷毛が洗浄摩擦によって前記外層の刷毛先端部から表面が摩耗又は剥離して前記内層が順次露出することを特徴とする洗浄ブラシ。
【請求項２】
前記摩耗表示用刷毛は、前記内層の外周面を色違いの樹脂で被覆して外層を形成した二層構造であることを特徴とする請求項１記載の洗浄ブラシ。
【請求項３】
前記摩耗表示用刷毛は、前記外層の着色が、他の刷毛と同一色の樹脂で被覆されていることを特徴とする請求項１又は２に記載の洗浄ブラシ。
【請求項４】
前記刷毛は、ポリプロピレンまたはポリイミドからなる硬質合成樹脂で形成された線条体であることを特徴とする請求項１〜３のいずれか１に記載の洗浄ブラシ。
【考案の詳細な説明】
【技術分野】
【０００１】
本考案は、調理場、各種厨房、その他食品工場等において、弁当箱、食器類或いは食品収納容器等を洗浄するのに用いる洗浄ブラシに関するものである。
【背景技術】
【０００２】
惣菜や弁当などの食品を収納して販売するための食品収納容器は、これらの食品を収納する前に洗浄される。従来から、食器や食品収納容器の洗浄には合成樹脂製の刷毛を埴設した洗浄ブラシが使用されていた（例えば、特許文献１を参照）。
【０００３】
合成樹脂製の刷毛からなる洗浄ブラシは、洗浄作業中に折れるなどして食器に
付着したり、弁当箱内に残留したりすることは好ましくない。食器に載せられた食品や食品収納容器に収納された食品の中に、その刷毛が異物として混入すると、不衛生感、嫌悪感を招き、食品販売者や食品提供者に対する信頼度が損なわれる
からである。このため、これまでの洗浄ブラシとして従来の合成樹脂の刷毛に比べて強靭かつ弾力性に富み、更に寿命が長いポリプロピレン、ポリイミドなどの合成樹脂の刷毛材料が広く用いられるようになった。
【先行技術文献】
【特許文献】
【０００４】
【特許文献１】特開２００８−３０７２６４号公報
【考案の概要】
【考案が解決しようとする課題】
【０００５】
しかしながら、かかる従来のポリプロピレン、ポリイミドなどからなるブラシにあっても、繰り返し使用されることによる疲労、劣化は避けられず、そのまま使用を続けると、前述のように洗浄作業中に折れるなどして食器に付着したり、弁当箱内に残留したりするという問題が生じる。このため、作業の安全性確保の面から一定期間使用すると、定期的に新しいブラッシと交換しているのが現状である。
【０００６】
本考案は、上述した事情に鑑みてなされたものであり、その目的とするところは、刷毛の磨耗状態、好ましくは磨耗直前の状態を目視で確認可能にして、速やかに使用中止や交換を使用者に促すことができる洗浄ブラシを提供することにある。
【課題を解決するための手段】
【０００７】
前述した目的を達成するために、本考案に係る洗浄プブラシは、複数本の刷毛を束ねた刷毛束を刷毛取付台の周縁に沿って複数組が植設された洗浄ブラシであって、前記複数組の刷毛束のうち外側面に位置する前記刷毛束の少なくとも１本の刷毛が、内外層で着色の異なる鞘芯型の磨耗表示用刷毛が配設されてなり、前記磨耗表示用刷毛が洗浄摩擦によって前記外層の刷毛先端部から表面が摩耗又は剥離して前記内層が順次露出する。
【０００８】
この構成により、調理場や厨房等において、弁当箱、食器類、或いは食品収納容器等の洗浄作業によって刷毛の磨耗が進行するのは、鞘芯型に形成されている二層構造の磨耗表示用刷毛の先端部から環状の外層から順次磨耗または剥離して内層が露出する。このため内層の露出状態を誰もが着色の違いから目視で容易に判断可能になる。従って、この洗浄ブラシの使用継続の中止および未使用品との交換を作業者等に速やかに促すことができる。
【０００９】
また、前記摩耗表示用刷毛は、前記内層の外周面を色違いの樹脂で被覆して外層を形成した二層構造である。
【００１０】
この構成により、内層の外周面を色違いの樹脂で被覆して外層を形成しているので、磨耗によって外層の先端から露出する前記内層の着色部分を目視で看取することで、色違いを容易に確認できる。これにより作業者は刷毛およびブラシ部全体の磨耗状態、疲労状態、寿命を判断し、洗浄ブラシを未使用の新品と速やかに交換することができる。
【００１１】
さらに、前記摩耗表示用刷毛は、前記外層の着色が、他の刷毛と同一色で被覆されている。
【００１２】
この構成により、前記内層と外層との耐磨耗強度が同じでも磨耗は外層から進行するため、この磨耗によって外層の先端から露出する前記内層の着色部分を目視で看取ることができるので、その露出長さを容易に確認できる。これにより、前記同様に作業者は刷毛およびブラシ部全体の磨耗状態、疲労状態、寿命を判断し、洗浄ブラシを未使用の新品と速やかに交換することができる。
【００１３】
前記刷毛は、ポリプロピレンまたはポリイミドからなる硬質合成樹脂で形成された線条体である。
【００１４】
この構成により、線条体に強靭性および弾力性を与えることができるとともに、腰の強さをも与えて、磨耗表示用ブラシに十分な洗浄力、耐摩耗性および耐久性を付与することができる。
【考案の効果】
【００１５】
本考案によれば、刷毛の磨耗状態を磨耗表示用刷毛の剥離状態を目視するだけで刷毛の疲労状態を簡単に確認でき、速やかにその刷毛の使用中止や未使用品との交換を作業者に促すことができる。これにより磨耗が進んで折損した刷毛の一部が洗浄中に食品収納容器内に残り、これがこの食品収納容器内に収納された食品に付着または混入するのを未然に回避することができる。
【００１６】
以上、本考案について簡潔に説明した。更に、以下に説明される考案を実施するための最良の形態を、添付の図面を参照して詳細に説明する。
【図面の簡単な説明】
【００１７】
【図１】本考案の実施形態による洗浄ブラシを示す斜視図である。
【図２】図１における洗浄ブラシの刷毛取付台とブラシ部との詳細な取付構造を示す要部の拡大断面図である。
【図３】図２に示した磨耗表示用刷毛の拡大断面図である。
【図４】磨耗表示用刷毛の摩耗又は剥離状態を示す拡大断面図である。
【考案を実施するための形態】
【００１８】
以下、本考案の実施形態を図面を参照して説明する。図１は本考案の実施形態による洗浄ブラシを示す斜視図、図２は図１における洗浄ブラシの刷毛取付台とブラシ部との詳細な取付構造を示す要部の拡大断面図、図３は図２に示した磨耗表示用刷毛の拡大断面図、図４は磨耗表示用刷毛の摩耗又は剥離状態を示す拡大断面図である。これらの図において、洗浄ブラシ１１は刷毛取付台１２とこの刷毛取付台１２の片面（図上、下面）に複数本の刷毛１５を束ねた刷毛束１６を複数組植設したブラシ部１３とから構成される。刷毛取付台１２は木材の加工品や合成樹脂の成形品として得られ、所定厚みと強度を持つ形状、サイズに形成されている。この刷毛取付台１２は、これを作業者が手で握って、洗浄しょうとする弁当箱などの食品収納容器の隅部にもブラシ部１３が届くように操作可能とされる。図１では、この刷毛取付台１２は人が手で握り易い瓢箪型の板材からなる。また、ブラシの形態は、ハンドブラシ、把持ブラシ、ねじりブラシ（パイプクリーナー）など特に限定されない。
【００１９】
なお、洗浄ブラシ１１が自動食器洗い機等などに設置されるものである場合には、刷毛取付台１２やブラシ部１３は、その自動食器洗い機等のサイズに適した所定の形状、サイズに形成される。
【００２０】
前記刷毛取付台１２は、片面（図上、下面）の周縁に沿った複数箇所に刷毛束１６の取付部となる植毛孔１４が開口されている。この植毛孔１４は刷毛取付台１２下面の全体にまたは一部に設けられ、その配置パターンは洗浄ブラシ１１の用途により種々選択される。なお、洗浄ブラシ１１は刷毛取付台１２の下面のみならず、側面や上面に設けられた植毛孔１４に植設してもよい。これらの植毛孔１４の形状は、丸孔、楕円孔、四角孔などとすることができ、通常は容易に形成可能な丸孔が好適である。
【００２１】
一方、前記ブラシ部１３は、複数本（多数本）の刷毛１５を束ねて、図２に示すように、刷毛束１６の複数組を刷毛取付台１２の周縁に沿って略規則的に並設したものである。刷毛束１６は多数本の刷毛１５の端部が揃えられ、この刷毛１５が揃った端部を基端として、これが前記刷毛取付台１２下面の植毛孔１４内に圧入されている。この圧入の際にその基部に抜け止め用の圧着リングが嵌装される場合がある。
【００２２】
前記刷毛１５としては、ポリプロピレン、ポリイミドなどの硬質合成樹脂で形成された線条体で、強靭性、弾力性に富み、しかも腰の強さを持った細長い線条体である。そして、かかる刷毛１５を多数本束ねた刷毛束１６は、その基部が前述のようにして植毛孔１４内に圧入される。この基部の圧入状態では各刷毛１５は隣り合うものどうしが側圧を受けた状態で互いに密接し、植毛孔１４内から容易に脱抜しないように安定保持される。また、刷毛１５は、断面円形状や断面三角形状のいずれでもよい。
【００２３】
前記多数本の刷毛１５には、この刷毛１５とともに前記刷毛束１６を構成する１本または複数本の磨耗表示用刷毛１７が前記刷毛１５とともに植毛孔１４に一緒に植設されている。磨耗表示用刷毛１７の植設は、刷毛取付台１２の外側面に位置することが必要である。刷毛１５は全体が硬質合成樹脂からなる線条体で同一材質で構成される。磨耗表示用刷毛１７は、図３に示すように内外層で着色の異なる鞘芯型の二層構造に形成されている。
【００２４】
図３はこの磨耗表示用刷毛１７の構成を示し、図３（ａ）はその一部を破断して示した正面図、図３（ｂ）は平面図である。この図３に示す磨耗表示用刷毛１７は内外層で着色の異なる鞘芯型の二層構造で、線条体の内層（鞘芯部材）１８と、この内層１８の外周面に色違いの樹脂を０．１５〜０．３０mmを被覆した外層１９とからなる。
【００２５】
また、摩耗表示用刷毛は、前記外層の着色が、他の刷毛と同一色の樹脂で被覆されていることである。これによってブラッシの外観の見栄えが良く、摩耗又は剥離が容易に目視することが可能となる。
【００２６】
このように、ブラシ部１３を構成する刷毛束１６には、多数本の刷毛１５のなかに少なくとも１本または複数本の磨耗表示用刷毛１７を配置させる。この磨耗表示用刷毛１７は、刷毛取付台１２の最も外側にある刷毛１５に隣接する部位に配置されるように、前記植毛孔１４に植設されている。このため、この磨耗表示用刷毛１７は洗浄ブラシ１１の使用者が常時看取し易い位置に臨む。図２は、６束ある刷毛束１６のうちの３束に、磨耗表示用刷毛１７を配置した場合を示している。
【００２７】
かかる磨耗表示用刷毛１７が他の刷毛１５とともに刷毛取付台１２に植設された洗浄ブラシ１１は、調理場や厨房等において多数の食品収納容器の洗浄に用いられる。ブラシ部１３の刷毛１５はこの洗浄作業によって繰り返し食品収納容器に摩擦接触するが、この洗浄時にストレスを受けて徐々に疲労が進む。このブラシ部１３は疲労によって洗浄能力が落ちるとともに、そのまま使い続けて磨耗が進行することによって、遂には折損を招くこととなる。
【００２８】
しかし、本実施形態では、図４に示すように、洗浄作業によって前述のように刷毛１５が剥離又は磨耗するが、そのうち磨耗表示用刷毛１７は外層１９の外周面側から中心部に向かって剥離又は磨耗が進行して、内層１８が露出してくる。
【００２９】
従って、その磨耗が予め設計された時間に達すると、磨耗表示用刷毛１７の先端（図上、下端）から上方に向かって、例えば白色の内層１８が、例えば青色の外層１９より露出し始める。そして、この露出が所定のレベル（大きさ、長さ、厚みなど）になったとき、前記刷毛１５が疲労状態であると判断することで、それ以上の洗浄ブラシ１１の使用を止めることができる。これにより、刷毛１５が疲労によって折損し、その折損屑が洗浄後の食品収納容器内に残ったり、この食品収納容器内に収納した食品に混入したりするのを、未然に回避することができる。
【００３０】
なお、上記においては、図３に示すような前記磨耗表示用刷毛１７の内層１８および外層１９は共に同一の耐対磨耗強度を持つ合成樹脂材から構成されていてもよい。食品収納用容器などの洗浄時には、磨耗表示用刷毛１１は外層１９から磨耗が開始されるからである。そこでこの磨耗によって顕われる着色された（例えば、白色の）内層１８を看取することで、外層１９の磨耗が判別でき、これにより刷毛１５の寿命（使用可能限界）を予測することができる。
【００３１】
ここで、前記磨耗表示用刷毛１７は内層１８および外層１９を共にポリプロピレンやポリイミドからなる硬質合成樹脂で形成された線条体とすることで、この磨耗表示用刷毛１７に強靭性および弾力性を与えることができるとともに腰の強さをも与えることができ、結果としてこの磨耗表示用ブラシに高い洗浄力、耐摩耗性および耐久性を付与することができる。
【００３２】
以上のように、本実施形態によれば、複数本の刷毛１５が束ねられた刷毛束１６に内外層で着色の異なる鞘芯型の二層構造の磨耗表示用刷毛１７が組み込まれて刷毛取付台１２に取り付けられた洗浄ブラシ１１である。複数組の刷毛束１６のうち外から見える側の少なくとも１本の刷毛１５が、内外層で着色の異なる鞘芯型の二層構造の磨耗表示用刷毛１７で形成されているので、前記外層が摩擦によって先端部から順次剥離又は剥離することで、前記内層が露出するように構成した。これにより、食品収納容器等の洗浄作業によって磨耗表示用刷毛１７の磨耗が進行しても、二層構造のうち外層１９が内層１８の全周面を覆う場合に、刷毛１５の磨耗は内層１８に先立って外層１９が先に進むことになっている。このため、その外層１９および内層１８の耐磨耗強度が同じでも、外層１９の磨耗が先に進行して内層１８が露出する。この結果、作業者はその露出部の色を直ちに、容易に看取でき、この洗浄ブラシ１１の使用を停止したり、未使用品との交換をしたりすることができる。
【産業上の利用可能性】
【００３３】
本考案の洗浄ブラシは、刷毛の磨耗状態、好ましくは磨耗直前の状態を目視で簡単に確認可能にして、速やかに使用中止や交換を使用者に促すことができるという効果を有し、調理場、各種厨房等において、弁当箱、食器類或いは食品収納容器等を洗浄するのに用いる洗浄ブラシ等に有用である。
【符号の説明】
【００３４】
１１  洗浄ブラシ
１２  刷毛取付台
１３  ブラシ部
１４  植毛孔
１５  刷毛
１６  刷毛束
１７  磨耗表示用刷毛
１８  内層（鞘芯部材）
１９  外層（環状部９
【図１】
0003178117.tif 000003
【図２】
0003178117.tif 000004
【図３】
0003178117.tif 000005
【図４】
0003178117.tif 000006